(57)【要約】【課題】電力ケーブルに作業用アースを安全に取り付けることができる作業用アース取付箱を提供する。【解決手段】電力ケーブルに取り付けられる導電性のアース取付端子１６と、アース取付端子１６を外部と絶縁状態で収納するための開閉可能なアース取付端子収納箱として機能する上部箱体１１および下部箱体１２と、上部箱体１１の側面に取り付けられたアースフック挿入筒１４と、作業用アース取付作業時にアースフック挿入筒１４から取り外されるキャップ１７とを具備する。アースフック挿入筒１４は接近安全距離を確保できる長さとされている。作業用アース取付作業時には、キャップ１７をアースフック挿入筒１４から外したのちに架空線の接地器具であるアースフックをアースフック挿入筒１４を介して上部箱体１１内に挿入して、アース取付端子１６に接続する。【選択図】図１
2020127253.tif 000002
【特許請求の範囲】
【請求項１】
電力ケーブル（２０）に作業用アースを取り付けるための作業用アース取付箱（１０，５０）であって、
前記電力ケーブルに取り付けられる導電性のアース取付端子（１６，５５）と、
前記アース取付端子を外部と絶縁状態で収納するためのアース取付端子収納箱と、
前記アース取付端子収納箱に取り付けられた、かつ、作業用アース取付作業時にアースフック（１１０）を前記電力ケーブルに沿って前記アース取付端子収納箱内に挿入して前記アース取付端子に接続するためのアースフック挿入筒（１４，５３）と、
前記作業用アース取付作業時に前記アースフック挿入筒から外されるキャップ（１７，５６）とを具備し、
前記アースフック挿入筒が、接近安全距離を確保できる長さとされている、
ことを特徴とする、作業用アース取付箱。
【請求項２】
前記アースフック挿入筒が、前記アース取付端子収納箱の側面の裏面寄りに取り付けられていることを特徴とする、請求項１記載の作業用アース取付箱。
【請求項３】
前記作業用アース取付箱（１０）が、
前記アース取付端子収納箱として、蝶番（１３）によって開閉可能とされた上部箱体（１１）および下部箱体（１２）を備え、
前記上部箱体の左右側面および前記下部箱体の左右側面に、閉じられたときに前記電力ケーブルを貫通させるとともに挟持するための半円状の切欠きが設けられている、
ことを特徴とする、請求項１または２記載の作業用アース取付箱。
【請求項４】
前記作業用アース取付箱（５０）が、
前記アース取付端子収納箱として、箱体（５１）および挟持蓋（５２）を備え、
前記箱体が、
本体部（５１ａ）と、
前記本体部に筒状の連結部（５１ｂ）を介して取り付けられた挟持部（５１ｃ）と、
前記本体部の前端部および後端部にそれぞれ取り付けられた前脚部（５１ｄ）および後脚部（５１ｅ）とを備え、
前記アース取付端子の前記電力ケーブルへの取付部（５５ａ）が前記箱体の前記挟持部および前記挟持蓋に挟持されているとともに、前記アース取付端子の前記アースフックとの接続部（５５ｂ）が前記挟持部および前記連結部を介して前記箱体の前記本体部内に収納されている、
ことを特徴とする、請求項１または２記載の作業用アース取付箱。
【発明の詳細な説明】
【技術分野】
【０００１】
本発明は、密閉型の電力ケーブルに作業用アースを取り付けるのに好適な作業用アース取付箱に関する。
【背景技術】
【０００２】
従来、引出口が電力ケーブル（送電線など）であるとともに変電所機器がガス複合開閉装置である場合には、線路側に作業用アースを取り付ける場所がなく、点検時に作業者に危険を及ぼす恐れがあった。
【０００３】
また、営業所の配電線（高圧電線）作業時に変電所のスイッチギアに営業所で電力ケーブルに乙アース（作業用アース）を取り付けなければならないなど非効率な業務運営を実施する必要が生じていた。
【０００４】
このような問題の解決手法として、下記の特許文献１には、工事を行う箇所で直接導体を接地できるようにして工事中の感電事故を確実に防止できるようにするために、電力ケーブル線路の途中に設けられて分岐接続体本体に前後２本の幹線ケーブルと分岐ケーブルとがオス型接続子とメス型接続子とを嵌合させた状態で接続される分岐接続部の分岐接続体本体とケーブル端末との間に接地線を接続可能な導体接地アダプタを設け、導体接地アダプタが分岐接続体本体の接続子と嵌合可能な第１の接続子とケーブル端末の接続子と嵌合可能な第２の接続子とを両端に有しており、それらの中間部に接地線の接続部を設けて、常時は接地線の接続部にキャップを被せておき、分岐接続部で工事を行う際にはキャップを外してそこに接地線を接続するようにした、電力ケーブル分岐接続部が開示されている。
【先行技術文献】
【特許文献】
【０００５】
【特許文献１】特開２０００−２９９９０８号公報
【発明の概要】
【発明が解決しようとする課題】
【０００６】
しかしながら、上記の特許文献１に開示された電力ケーブル分岐接続部では、キャップを外す際に充電していると作業者が感電する可能性があるため、活線作業となり、特別高圧以上の電力ケーブルへの作業用アース取付作業に使用することは難しいという問題がある。
【０００７】
また、ガス複合開閉装置の場合には、ケーブル終端箱（ケーブル端末）は圧力タンク内にあるため、ケーブル終端箱の電力ケーブル側（密閉型の電力ケーブル）に作業用アースを取り付けることができないという問題がある。
【０００８】
本発明の目的は、電力ケーブルに作業用アースを安全に取り付けることができる作業用アース取付箱を提供することにある。
【課題を解決するための手段】
【０００９】
本発明の作業用アース取付箱は、電力ケーブル（２０）に作業用アースを取り付けるための作業用アース取付箱（１０，５０）であって、前記電力ケーブルに取り付けられる導電性のアース取付端子（１６，５５）と、前記アース取付端子を外部と絶縁状態で収納するためのアース取付端子収納箱と、前記アース取付端子収納箱に取り付けられた、かつ、作業用アース取付作業時にアースフック（１１０）を前記電力ケーブルに沿って前記アース取付端子収納箱内に挿入して前記アース取付端子に接続するためのアースフック挿入筒（１４，５３）と、前記作業用アース取付作業時に前記アースフック挿入筒から外されるキャップ（１７，５６）とを具備し、前記アースフック挿入筒が、接近安全距離を確保できる長さとされていることを特徴とする。
ここで、前記アースフック挿入筒が、前記アース取付端子収納箱の側面の裏面寄りに取り付けられていてもよい。
前記作業用アース取付箱（１０）が、前記アース取付端子収納箱として、蝶番（１３）によって開閉可能とされた上部箱体（１１）および下部箱体（１２）を備え、前記上部箱体の左右側面および前記下部箱体の左右側面に、閉じられたときに前記電力ケーブルを貫通させるとともに挟持するための半円状の切欠きが設けられていてもよい。
前記作業用アース取付箱（５０）が、前記アース取付端子収納箱として、箱体（５１）および挟持蓋（５２）を備え、前記箱体が、本体部（５１ａ）と、前記本体部に筒状の連結部（５１ｂ）を介して取り付けられた挟持部（５１ｃ）と、前記本体部の前端部および後端部にそれぞれ取り付けられた前脚部（５１ｄ）および後脚部（５１ｅ）とを備え、前記アース取付端子の前記電力ケーブルへの取付部（５５ａ）が前記箱体の前記挟持部および前記挟持蓋に挟持されているとともに、前記アース取付端子の前記アースフックとの接続部（５５ｂ）が前記挟持部および前記連結部を介して前記箱体の前記本体部内に収納されていてもよい。
【発明の効果】
【００１０】
本発明の作業用アース取付箱は、以下に示す効果を奏する。
（１）接近安全距離を確保してアースフック挿入筒からキャップを外せるため、特別高圧以上の電力ケーブルに作業用アースを安全に取り付けることができる。
（２）作業用アース取付箱は電力ケーブルに取り付けるため、密閉型の電力ケーブルにも作業用アースを取り付けることができる。
（３）停電作業における検電・アース付作業においてアース付箇所を設けていないガス複合開閉装置や配電線ケーブルに絶縁体の作業用アース取付箱を取り付けることにより、接近安全距離を確保して検電・アース付作業を安全に実施することができる。
【図面の簡単な説明】
【００１１】
【図１】本発明の第１の実施例による作業用アース取付箱１０の構成について説明するための図であり、（ａ）〜（ｄ）は作業用アース取付箱１０の上面図、左側面図、正面図および右側面図であり、（ｅ），（ｆ）はアース取付端子１６の正面図および右側面図である。
【図２】図１に示した作業用アース取付箱１０を電力ケーブル２０に取り付ける作業用アース取付箱取付作業の手順について説明するための図であり、（ａ），（ｂ）は手順１，２について説明するための正面図であり、（ｃ），（ｄ）は手順３，４について説明するための上面図である。
【図３】図１に示した作業用アース取付箱１０を用いた作業用アース取付作業の手順について説明するための図であり、（ａ）〜（ｃ）は手順１〜３について説明するための上面図である。
【図４】本発明の第２の実施例による作業用アース取付箱５０の構成について説明するための図であり、（ａ）は前脚部５１ｄを省略した作業用アース取付箱５０の正面図であり，（ｂ）は作業用アース取付箱５０の右側面図であり、（ｃ），（ｄ）はアース取付端子５５の正面図および右側面図である。
【図５】図４に示した作業用アース取付箱５０を用いた作業用アース取付作業の手順について説明するための図であり、（ａ）は手順１について説明するための正面図であり、（ｂ）〜（ｄ）は手順２〜４について説明するための前脚部５１ｄを省略した正面図である。
【図６】アースフック１１０の構成を示す図である。
【発明を実施するための形態】
【００１２】
上記の目的を、接近安全距離を確保できる長さとされたアースフック挿入筒をアース取付端子収納箱に取り付けて、作業用アース取付作業時にキャップをアースフック挿入筒から外したのちアースフックを挿入してアース取付端子収納箱内のアース取付端子を介して電力ケーブルに作業用アースを接続できる構成とすることにより実現した。
【実施例１】
【００１３】
以下、本発明の作業用アース取付箱の実施例について図面を参照して説明する。
なお、以下の説明では、電力ケーブル２０（図２（ａ）参照）は、１１０ｋＶ用のものであり、径が１０ｃｍ程度のものとする。
【００１４】
本発明の作業用アース取付箱は、以下に示す特徴を有する。
（１）キャップを外す際に作業者が感電する恐れがない接近安全距離を確保できる構造とされている。
（２）ケーブル端末と接続機器との間ではなく電力ケーブルに取り付けられる構造とされている。
（３）作業用アースとして架空線用アースを使用できるアース取付端子を備える。
【００１５】
そのため、作業用アース取付作業には、架空線の接地器具として一般的に用いられているアースフックを使用する。
このようなアースフックは、たとえば図６に示すアースフック１１０のように、絶縁性の操作棒１１１と、操作棒１１１の先端部に取り付けられたヘッダ１１２と、ヘッダ１１２に取り付けられた開閉フック１１３と、一端が開閉フック１１３と電気的に接続されたアースリード線１１４とを備える。
開閉フック１１３は、同図に矢印で示すように、操作棒１１１を軸周回りに回転することにより開閉される。
開閉フック１１３を全開した状態でのアースフック１１０の幅ｄ（開閉フック１１３の先端部からアースリード線１１４の外側端面までの長さ）は、１５ｃｍ程度である。
【００１６】
本発明の第１の実施例による作業用アース取付箱１０は、図１（ａ）〜（ｄ）に示すように、下面が開口面とされた矩形箱状の上部箱体１１と、上面が開口面とされた矩形箱状の下部箱体１２と、蝶番１３と、矩形筒状のアースフック挿入筒１４と、円板状の確認窓１５と、導電性のアース取付端子１６と、キャップ１７とを具備する。
【００１７】
上部箱体１１および下部箱体１２は、アース取付端子１６を外部と絶縁状態で収納するための開閉可能なアース取付端子収納箱としての機能と、電力ケーブル２０を上下から挟んで保持する機能とを有するものである。
【００１８】
そのため、上部箱体１１および下部箱体１２は絶縁物（木など）で構成されており、蝶番１３が上部箱体１１の表面の下端中央部および下部箱体１２の表面の上端中央部に取り付けられているとともに、上部箱体１１および下部箱体１２をボルト締めして閉じるために上部箱体１１の表面、左側面、裏面および右側面の下端部と下部箱体１２の表面、左側面、裏面および右側面の上端部には複数個のボルト孔（不図示）を有するフランジが設けられている。
【００１９】
また、図１（ｂ），（ｄ）に示すように、上部箱体１１の左右側面の下端中央部および下部箱体１２の左右側面の上端中央部には、上部箱体１１および下部箱体１２を閉じたときに電力ケーブル貫通孔Ａを形成して電力ケーブル２０を貫通させるとともに挟持するための半円状の切欠きが設けられている。
【００２０】
なお、アース取付端子収納箱内に収納されたアース取付端子１６の外部との絶縁状態をより確実にするために、上部箱体１１および下部箱体１２の接触部分（上部箱体１１のフランジの下面および下部箱体１２のフランジの上面）と上部箱体１１および下部箱体１２の電力ケーブル２０との接触部分（半円状の切欠き）にパッキン状の絶縁物（ゴムパッキンなど）を取り付けてもよい。
【００２１】
アースフック挿入筒１４は、作業用アース取付作業時にアースフック１１０を電力ケーブル２０に沿って上部箱体１１内に挿入するためのものであり、上部箱体１１の右側面に対して垂直になるように左端部が上部箱体１１の右側面に取り付けられている。
アースフック挿入筒１４は、開口面が縦１０ｃｍ程度および横２０ｃｍ程度の横長矩形状のものであり、接近安全距離を確保するために長さ（軸方向の長さ）が１８０ｃｍ程度とされている。
アースフック挿入筒１４は、横寸法を小さくするように、図１（ｄ）に示すように上部箱体１１の右側面の上方の裏面寄り（上部箱体１１の右側面の縦中央線からずらして右斜め上方寄り）に取り付けられている。
【００２２】
確認窓１５は、アースフック１１０がアース取付端子１６に確実に取り付けられたことを確認できるようにするためのものであり、透明性の絶縁物（ガラスなど）で構成されているとともに、上部箱体１１の上面の中央部に取り付けられている。
【００２３】
アース取付端子１６は、アルミニウムなどの導電性金属で構成された正面視Ｔ字状のものであり、図１（ｅ），（ｆ）に示すように、下面中央部が軸方向に沿って切断された半割れパイプ状の圧縮部１６ａと、圧縮部１６ａの上面の中央部に立設された丸棒状の取付部１６ｂとからなる。
アース取付端子１６は、図１（ｆ）に点線で示すように圧縮部１６ａを開いた状態で電力ケーブル２０の心線２０ａ（図２（ａ）参照）を下方から圧縮部１６ａに挿入したのち、油圧圧縮工具などを用いて圧縮部１６ａを閉じることにより、電力ケーブル２０に取り付けられる。
【００２４】
キャップ１７は、絶縁物（ゴムなど）で構成されており、通常時にはアースフック挿入筒１４の右端面に取り付けられており、作業用アース取付作業時にはアースフック挿入筒１４から外される。
【００２５】
次に、作業用アース取付箱１０を電力ケーブル２０に取り付ける作業用アース取付箱取付作業の手順について、図２（ａ）〜（ｄ）を参照して説明する。
なお、作業用アース取付箱取付作業は停電作業で行う。
【００２６】
（手順１）作業者は、電力ケーブル２０の被覆２０ｂを取り除いて心線２０ａを露出させ、露出させた心線２０ａをアース取付端子１６の圧縮部１６ａに下方から挿入したのち、油圧圧縮工具などを用いて圧縮部１６ａを閉じて、電力ケーブル２０にアース取付端子１６を取り付ける（図２（ａ）参照）。
【００２７】
（手順２）作業者は、たとえば、絶縁材料をコーティングしたり絶縁テープを巻き付けたりすることにより、絶縁処理部材３０を用いて電力ケーブル２０の絶縁処理を行う（絶縁処理部材３０を断面で示した図２（ｂ）参照）。
【００２８】
（手順３）作業者は、作業用アース取付箱１０の下部箱体１２を開くとともにキャップ１７をアースフック挿入筒１４に取り付けた状態で、上部箱体１１を電力ケーブル２０に上方から被せる。
このとき、作業者は、確認窓１５から上部箱体１２内を覗いてアース取付端子１６が上部箱体１２の中央部に位置するようにする（図２（ｃ）参照）。
【００２９】
（手順４）作業者は、電力ケーブル２０を作業用アース取付箱１０の電力ケーブル貫通孔Ａを貫通させて下部箱体１２を閉じたのち、内部の絶縁を確保するように上部箱体１１および下部箱体１２をボルト締めして、作業用アース取付箱１０を電力ケーブル２０に取り付ける（図２（ｄ）参照）。
【００３０】
これにより、作業用アース取付箱１０を電力ケーブル２０に常時取り付けておけるため、ガス複合開閉装置の点検時などに作業用アース取付箱１０を用いて作業用アース取付作業を行うことができる。
【００３１】
次に、ガス複合開閉装置の点検時における作業用アース取付作業の手順について、図３（ａ）〜（ｃ）を参照して説明する。
（手順１）作業者は、キャップ１７をアースフック挿入筒１４から外す（図３（ａ）参照）。
このとき、作業者は、たとえ電力ケーブル２０が充電状態であっても、アースフック挿入筒１４によって接近安全距離を確保しながらキャップ１７を外すことができる。
【００３２】
（手順２）作業者は、開閉フック１１３を開くとともにアース取付端子１６側にしてアースフック１１０をアースフック挿入筒１４に挿入していく（図３（ｂ）参照）。
【００３３】
（手順３）作業者は、アースフック１１０の操作棒１１１を操作して、開閉フック１１３をアース取付端子１６の取付部１６ｂに引っ掛けたのち、開閉フック１１３を閉じて取付部１６ｂを挟持する（図３（ｃ）参照）。
このとき、作業者は、確認窓１５から上部箱体１２内を覗いて、アースフック１１０がアース取付端子１６に確実に取り付けられたことを確認する。
【００３４】
これにより、作業者は、アース取付端子１６を介してアースフック１１０のアースリード線１１４と電力ケーブル２０の心線２０ａとを電気的に接続して、作業用アースを電力ケーブル２０に安全に取り付けることができる。
【００３５】
ガス複合開閉装置の点検が終了すると、作業者は、アースフック１１０の操作棒１１１を操作して、開閉フック１１３を開き、開閉フック１１３をアース取付端子１６の取付部１６ｂから取り外したのち、アースフック１１０をアースフック挿入筒１４から引き抜く。
その後、作業者は、キャップ１７をアースフック挿入筒１４に被せる。
【００３６】
以降、作業者は、ガス複合開閉装置の点検時などに同様の手順で作業用アース取付作業を行うことができる。
【実施例２】
【００３７】
次に、本発明の第２の実施例による作業用アース取付箱５０について、図４（ａ）〜（ｄ）を参照して説明する。
本実施例による作業用アース取付箱５０は、図４（ａ），（ｂ）に示すように、箱体５１と、板状の挟持蓋５２と、アースフック挿入筒５３と、確認窓５４と、アース取付端子５５と、キャップ５６とを具備する。
【００３８】
ここで、アースフック挿入筒５３、確認窓５４、アース取付端子５５およびキャップ５６は、上述した作業用アース取付箱１０のアースフック挿入筒１４、確認窓１５、アース取付端子１６およびキャップ１７と同様の構成であるため、その説明は省略する。
【００３９】
箱体５１および挟持蓋５２は、アース取付端子５５を外部と絶縁状態で収納するためのアース取付端子収納箱としての機能を有するものであり、絶縁物（木など）で構成されている。
【００４０】
箱体５１は、矩形箱状の本体部５１ａと、上端面が本体部５１ａの下面の中央部に取り付けられた筒状の連結部５１ｂと、上面の中央部が連結部５１ｂの下端面に取り付けられた板状の挟持部５１ｃと、上端面が本体部５１ａの下面の前端部に取り付けられた矩形薄板状の前脚部５１ｄ（図４（ｂ）参照）と、上端面が本体部５１ａの下面の後端部に取り付けられた矩形薄板状の後脚部５１ｅ（前脚部５１ｄと同じ大きさ）とを備える。
【００４１】
箱体５１の本体部５１ａの下面の中央部および挟持部５１ｃの上面の中央部には、連結部５１ｂを介してアース取付端子５５の取付部５５ｂ（図４（ｃ），（ｄ）参照）を貫通させるための貫通孔が形成されている。
また、箱体５１の挟持部５１ｃの下面および挟持蓋５２の上面は、アース取付端子５５の圧縮部５５ａを挟持するための半円状溝が形成されている。
【００４２】
なお、アースフック挿入筒５３は、上述したアースフック挿入筒１４と同様に、開閉フック１１３をアース取付端子５５側にしてアースフック１１０を作業用アース取付箱５０の本体部５１ａ内に挿入するため、横寸法を小さくするように本体部５１ａの右側面の縦中央線からずらして右斜め上方寄りに取り付けられている（図４（ｂ）参照）。
【００４３】
次に、作業用アース取付箱５０を電力ケーブル２０に取り付ける作業用アース取付箱取付作業の手順について、図５（ａ）〜（ｄ）を参照して説明する。
なお、作業用アース取付箱取付作業は停電作業で行う。
【００４４】
（手順１）作業者は、電力ケーブル２０の被覆２０ｂを取り除いて心線２０ａを露出させ、露出させた心線２０ａをアース取付端子５５の圧縮部５５ａに下方から挿入したのち、油圧圧縮工具などを用いて圧縮部５５ａを閉じて、電力ケーブル２０にアース取付端子５５を取り付ける（図５（ａ）参照）。
【００４５】
（手順２）作業者は、キャップ５６をアースフック挿入筒５３に取り付けた状態で、アース取付端子５５の圧着部５５ａが箱体５１の挟持部５１ｃに当接するまで、箱体５１を電力ケーブル２０に上方から被せていく（図５（ｂ）参照）。
このとき、作業者は、アース取付端子５５の取付部５５ｂが箱体５１の挟持部５１ｃの貫通孔、連結部５１ｂおよび本体部５１ａの貫通孔を通って本体部５１ａ内に収納されるように、確認窓５４からの本体部５１ａ内を覗きながらこの作業を行う。
【００４６】
（手順３）作業者は、挟持蓋５２を箱体５１の下方から挿入して箱体５１の挟持部５１ｃに当接させたのち、両者を接合する（図５（ｃ）参照）。
このときの接合方法としては、接着剤によるものでもよいし、絶縁テープによるものでもよい。
【００４７】
（手順４）作業者は、絶縁材料をコーティングしたり絶縁テープを巻き付けたりすることにより、絶縁処理部材６０を用いて電力ケーブル２０の絶縁処理を行う（図５（ｄ）参照）。
【００４８】
これにより、作業用アース取付箱５０を電力ケーブル２０に常時取り付けておけるため、ガス複合開閉装置の点検時などに作業用アース取付箱５０を用いて作業用アース取付作業を行うことができる。
このときの手順については、上述した作業用アース取付箱１０を用いた作業用アース取付作業の手順（図３（ａ）〜（ｃ）参照）と同様であるため、説明を省略する。
【００４９】
また、作業用アース取付箱５０は前脚部５１ｄおよび後脚部５１ｅを備えるため、作業用アース取付箱５０を地面などの上に立たせておくことができる。
【００５０】
以上の説明では、電力ケーブル２０を切断せずに作業用アース取付箱１０，５０を取り付けたが、電力ケーブル２０を切断する場合には、切断した電力ケーブル２０の心線２０ａをアース取付端子１６，５５の圧縮部１６ａ，５５ａによって接続したのち作業用アース取付箱１０，５０を取り付けてもよい。
この場合には、アース取付端子１６，５５の圧縮部１６ａ，５５ａは、左右端面から電力ケーブル２０の心線２０ａを挿入することができるため、円筒状のものでもよい。
【００５１】
また、帯電した電気で感電しないようにシースアースが内蔵された電力ケーブルについては、電力ケーブルの被覆を取り除く際にシースアースが切断されるため、切断されたシースアースを接続したのちに絶縁処理を行うようにする。
【符号の説明】
【００５２】
１０，５０  作業用アース取付箱
１１  上部箱体
１２  下部箱体
１３  蝶番
１４，５３  アースフック挿入筒
１５，５４  確認窓
１６，５５  アース取付端子
１６ａ  圧縮部
１６ｂ  取付部
１７，５６  キャップ
２０  電力ケーブル
２０ａ  心線
２０ｂ  被覆
３０，６０  絶縁処理部材
５１  箱体
５１ａ  本体部
５１ｂ  連結部
５１ｃ  挟持部
５１ｄ  前脚部
５１ｅ  後脚部
５２  挟持蓋
１１０  アースフック
１１１  操作棒
１１２  ヘッダ
１１３  開閉フック
１１４  アースリード線
Ａ  電力ケーブル貫通孔
ｄ  幅
【図１】
2020127253.tif 000003
【図２】
2020127253.tif 000004
【図３】
2020127253.tif 000005
【図４】
2020127253.tif 000006
【図５】
2020127253.tif 000007
【図６】
2020127253.tif 000008